【手続補正書】
【提出日】平成15年10月1日(2003.10.1)
【手続補正１】
【補正対象書類名】明細書
【補正対象項目名】請求項１
【補正方法】変更
【補正の内容】
【請求項１】
電気的又は光学的な画像信号を実際の画像に変換して出力する画像出力装置と、
光学部材と、
前記光学部材に設けられ、前記画像出力装置の出力画像の虚像を眼から所定距離隔てた部位に表示し、且つ前記光学部材が少なくとも可視光域の一部あるいは全部を透過する場合、当該虚像を、前記光学部材を透過した背景像と合成するリップマンブラッグ体積ホログラムを有した表示部とを備え、
前記虚像、又は透過背景像、又は前記虚像と透過背景像との合成像を少なくとも一眼に導くことを特徴とする画像表示装置。
【手続補正２】
【補正対象書類名】明細書
【補正対象項目名】請求項２
【補正方法】変更
【補正の内容】
【請求項２】
電気的又は光学的な画像信号を実際の画像に変換して出力する第１および第２の画像出力装置と、
少なくとも一つ以上の光学部材と、
前記光学部材に設けられ、前記第１および第２の画像出力装置の出力画像の虚像を眼から所定距離隔てた部位に各々表示し、且つ前記光学部材が少なくとも可視光域の一部あるいは全部を透過する場合、当該虚像を、前記光学部材を透過した背景像と各々合成するリップマンブラッグ体積ホログラムを有した第１および第２の表示部とを備え、
前記第１の表示部で表示された虚像又は透過背景像、又は前記虚像および透過背景像の合成像を右眼に導き、前記第２の表示部で表示された虚像又は透過背景像、又は前記虚像および透過背景像の合成像を左眼に導くことを特徴とする画像表示装置。
【手続補正３】
【補正対象書類名】明細書
【補正対象項目名】請求項７
【補正方法】変更
【補正の内容】
【請求項７】
前記表示部は、前記画像出力装置から出射した光をレンズ、プリズム、ミラー、ハーフミラーにより少なくとも１回以上反射、屈折させ、像の拡大縮小の制御又はリップマンブラッグ体積ホログラムへの入射角度の制御を行った後リップマンブラッグ体積ホログラムに入射させるように構成されていることを特徴とする請求項１に記載の画像表示装置。
【手続補正４】
【補正対象書類名】明細書
【補正対象項目名】請求項８
【補正方法】変更
【補正の内容】
【請求項８】
前記表示部は、前記画像出力装置から出射した光をレンズ、プリズム、ミラー、ハーフミラーにより少なくとも１回以上反射、屈折させ、像の拡大縮小の制御又はリップマンブラッグ体積ホログラムへの入射角度の制御を行った後リップマンブラッグ体積ホログラムに入射させるように構成されていることを特徴とする請求項２に記載の画像表示装置。
【手続補正５】
【補正対象書類名】明細書
【補正対象項目名】請求項９
【補正方法】変更
【補正の内容】
【請求項９】
前記表示部は、前記画像出力装置から出射した光をレンズ、プリズム、ミラー、ハーフミラーにより少なくとも１回以上反射、屈折させ、像の拡大縮小の制御又はリップマンブラッグ体積ホログラムへの入射角度の制御を行った後リップマンブラッグ体積ホログラムに入射させるように構成されていることを特徴とする請求項３に記載の画像表示装置。
【手続補正６】
【補正対象書類名】明細書
【補正対象項目名】０００６
【補正方法】変更
【補正の内容】
【０００６】
また、ハーフミラーおよびレンズまたは凹面鏡を用いずにホログラフィックオプティカルエレメント（ＨＯＥ）を用いることにより画像表示装置の出力画像の虚像と背景透過像を融合してみることは可能であるが、この場合他の特定の光学的機能を有していない。


【手続補正７】
【補正対象書類名】明細書
【補正対象項目名】００２８
【補正方法】変更
【補正の内容】
【００２８】
このＨＯＥシート６は、シート内の屈折率の分布の仕方により、特定の角度で入射した光のうち特定の波長の光のみ反射（回折）しその他は透過するといういわゆる反射波長選択性と像拡大作用といったレンズ機能をもつ。この場合、図２５の凹面ハーフミラー３と機能的には似ているが以下の２点が異なる。


【手続補正８】
【補正対象書類名】明細書
【補正対象項目名】００２９
【補正方法】変更
【補正の内容】
【００２９】
１．波長選択された反射光（回折光）の反射率（回折効率）は、スペクトルのバンド幅が十分小さく（たとえば、ＬＥＤのような光源を使用した場合）、且つ厚さ２０μｍ程度のＨＯＥフィルムを使った場合は９５％以上となる。尚ＨＯＥフィルムの厚さが７μｍ程度の場合は反射率（回折効率）８０％以上となる。


【手続補正９】
【補正対象書類名】明細書
【補正対象項目名】００３８
【補正方法】変更
【補正の内容】
【００３８】
表示部Ｃは本例の場合、眼鏡３０の柄３１のヒンジ３３側に取り付けられたプリズムレンズ２６と、眼鏡のフレーム３２内のレンズ３４に設けられたＨＯＥシート２７とで構成されている。このＨＯＥシート（ホログラフィックコンバイナ：本例では、厚さ２０μｍｍ前後のフォトポリマーを使用）２７は眼鏡のレンズ３４に沿って取り付けられており、その上からマイラーフィルム（ポリエチレンテレフタレートフィルム）をコートすることにより固定および耐湿性の向上がはかられている。ＨＯＥシート２７の材質としては、たとえば、フォトポリマー、ダイクロメートゼラチンなどがある。


【手続補正１０】
【補正対象書類名】明細書
【補正対象項目名】００４６
【補正方法】変更
【補正の内容】
【００４６】
またＨＯＥシート２７をレンズに沿う形に形成し、該ＨＯＥシートをレンズとマイラーフィルム（ポリエチレンテレフタレートフィルム）などの別部材との間に挟み込んで保持するようにしても良い。


【手続補正１１】
【補正対象書類名】明細書
【補正対象項目名】００５３
【補正方法】変更
【補正の内容】
【００５３】
次にＨＯＥと画像出力装置とを、眼鏡フレームに対して脱着可能に構成した例を図１２に示す。図１２において眼鏡の構成は図４、図１０と同様である。１０２ａはＨＯＥと画像出力装置が取り付けられたポリカーボネート筐体であり、その一端は眼鏡のフレーム３２の上端部に脱着自在に係止され、折曲部を経た他端部に形成されたシリンドリカル曲面１０２ｂは、フレーム３２への装着時に該フレーム３２に対向する部位に配置されるように構成されている。前記シリンドリカル曲面１０２ｂのフレーム３２とは反対側の面にはＨＯＥ１２７がマイラーフィルム１０１に挟まれて保持されている。ポリカーボネート筐体１０２ａの前記折曲部内側には、ＨＯＥ１２７に画像を出力する液晶表示装置（ＬＣＤ）１０３が設けられている。図１２の構成によれば、ＨＯＥ１２７と液晶表示装置１０３がポリカーボネート筐体１０２ａに一体的に固定されているため、両者の位置決めを行う必要がなく使い勝手が良い。


【手続補正１２】
【補正対象書類名】明細書
【補正対象項目名】００５４
【補正方法】変更
【補正の内容】
【００５４】
図１３は、ＨＯＥと画像出力装置とを眼鏡フレームに対して脱着可能に構成した他の例を示している。図１３において眼鏡の構成は図４、図１０と同様である。ポリカーボネート筐体１０２ａの一端は眼鏡のフレーム３２の上端部に脱着自在に係止され、折曲部を経た他端部は平面状に形成されるとともに、フレーム３２への装着時に該フレーム３２に対向する部位に配置されるように構成されている。前記ポリカーボネート筐体１０２ａの他端部の、フレーム３２とは反対側の面にはＨＯＥ１２７がマイラーフィルム１０１に挟まれて保持されている。１０４は、ポリカーボネート筐体１０２ａの折曲部内側に設けられた液晶表示装置１０３からの出射光を、反射させてＨＯＥ１２７に導くミラーである。このように図１３では、ＨＯＥ１２７への入射光線の角度と、物側距離を変化させるためにミラー１０４を設け、一度ミラー１０４で反射した光をＨＯＥ１２７に入射している。図１３の構成によれば、ＨＯＥ１２７と液晶表示装置１０３とミラー１０４がポリカーボネート筐体１０２ａに一体的に固定されているため、それらの位置決めを行う必要がなく使い勝手が良い。


【手続補正１３】
【補正対象書類名】明細書
【補正対象項目名】００６８
【補正方法】変更
【補正の内容】
【００６８】
なお、以上に挙げたディスプレイ眼鏡は正視の人用として眼鏡レンズの屈折力（度）を０としたものでも、レンズにカラーコーティング、ＵＶ反射コートなどの表面処理を施したものでももちろん良い。


【手続補正１４】
【補正対象書類名】明細書
【補正対象項目名】００８６
【補正方法】変更
【補正の内容】
【００８６】
（１４）本発明により、ＰＤＡ表示装置（個人用携帯端末ディスプレイ）として現在一般的に使用されている直視型小型液晶表示器の弱点（小型化と視認性の相反、ユーザーへの低追従性、情報のプライバシー性の低さ）、ならびに現行ＨＭＤの問題点（大きさ、重量、形状、背景の視認性）を一掃した新しい情報端末ディスプレイをほんど従来眼鏡と同一形状及び重量で、しかも低コストで提供することができる。


【手続補正１５】
【補正対象書類名】図面
【補正対象項目名】図１２
【補正方法】変更
【補正の内容】
【図１２】
1998301055.tif 000001
【手続補正１６】
【補正対象書類名】図面
【補正対象項目名】図１３
【補正方法】変更
【補正の内容】
【図１３】
1998301055.tif 000002